(57)【特許請求の範囲】
【請求項１】
本体の流路に嵌挿した装填部材を、仕切板により湯水が通過する第１通路と、芳香剤,浴用剤等の錠剤を収容して通過する湯水に混合する第２通路に分割し、つまみの操作で散水板から吐出される湯水を、第１通路を通過する錠剤を混合しない通常の湯水と第２通路を通過する錠剤を混合した湯水に切替可能にした錠剤付シャワーヘッドにおいて、シャワーヘッドの本体は、第２通路と外部を連通する排水路及び第２通路へ外気を導入する導入孔を形成し、排水路及び導入孔は前記装填部材により開閉自在で、第１通路を通過する通常水吐水時に外部と連通し、第２通路を通過する錠剤を混合した湯水吐水時に外部と遮断されることを特徴とする錠剤付シャワーヘッド。
【請求項２】
前記装填部材は、流路の一次室と第２通路を連通する隔壁の第２入口を開閉する第２弁体と、二次室と第２通路を連通する隔壁の第２出口を開閉する第３弁体を形成し、この両弁体により通常水吐水時は第２通路と一次室及び二次室は流路を閉塞したことを特徴とする請求項１記載の錠剤付シャワーヘッド。
【発明の詳細な説明】
【０００１】
【発明の属する技術分野】
本発明は、芳香剤，浴用剤等の錠剤を収容して湯水に混合することのできるシャワーヘッドに関する。
【０００２】
【従来の技術】
従来、シャワーヘッドから吐出される湯水に芳香剤，浴用剤等の錠剤を混合することで、快適なシャワー水を楽しむことができるようにしたものとして実開平３−５１０８４号公報の第３図（本願図面の図４）のものがある。この図４について簡単に説明すると、シャワーホース３１とシャワーヘッド３２の間に介装可能としたアダプター本体３３に保持体３５の挿入孔３４を開口し、保持体３５は錠剤３８を嵌挿する保持凹部３６と通常水吐水用の凹部３７を開口し、つまみ３９の回転操作で湯水は溶解した錠剤３８を混入して、散水板４０に穿設した多数の散水孔４１から外部へ吐出される場合と、凹部３７を通過して錠剤３８は溶解しないようにした湯水を散水孔４１から外部へ吐出する場合に流路を切替えられるものである。
【０００３】
上記のシャワーヘッドではつまみの操作で湯水が錠剤を通過しない通常のシャワー水吐水状態に切替えても、錠剤は保持凹部で湯水の流路と接触しているのでわずかづつ溶解されてしまい、寿命が短く短時間で消耗してしまうので頻繁に錠剤を補充しなければならず、メンテナンスが面倒であった。
【０００４】
【発明が解決しようとする課題】
本発明が解決しようとする課題は、芳香剤，浴用剤等の錠剤を湯水に混合して散水孔から吐出するシャワーヘッドにおいて、芳香剤の長寿命化を計ることである。
【０００５】
【課題を解決するための手段】
本発明は請求項１では、本体の流路に嵌挿した装填部材を、仕切板により湯水が通過する第１通路と、芳香剤,浴用剤等の錠剤を収容して通過する湯水に混合する第２通路に分割し、つまみの操作で散水板から吐出される湯水を、第１通路を通過する錠剤を混合しない通常の湯水と第２通路を通過する錠剤を混合した湯水に切替可能にした錠剤付シャワーヘッドにおいて、シャワーヘッドの本体は、第２通路と外部を連通する排水路及び第２通路へ外気を導入する導入孔を形成し、排水路及び導入孔は前記装填部材により開閉自在で、第１通路を通過する通常水吐水時に外部と連通し、第２通路を通過する錠剤を混合した湯水吐水時に外部と遮断されるものである。
【０００６】
また請求項２では、前記装填部材は、流路の一次室と第２通路を連通する隔壁の第２入口を開閉する第２弁体と、二次室と第２通路を連通する隔壁の第２出口を開閉する第３弁体を形成し、この両弁体により通常水吐水時は第２通路と一次室及び二次室は流路を閉塞したものである。
【０００７】
【発明の実施の形態】
以下、本発明の実施の形態を図に基づいて詳細に説明する。
本発明は図１に示すように、シャワーヘッドの本体１は合成樹脂材料からなり、先端の頭部２には多数の散水孔４を環状に穿設した散水板３を数枚重ね合わせて取り付け、手で握るところである胴体部５の下方は水栓金具（図示省略）と接続するホース７との接続部６とし、胴体部５の内部に形成される流路８にホース７から湯水が供給され、散水板３の散水孔４から湯水はシャワー水として吐出されるものである。
【０００８】
前記胴体部５は図３に示すように、流路８の中途部で一次室９と二次室１０に仕切るように円筒状の隔壁１１を形成し、該隔壁１１は一次室９と連通する第１入口１２及び第２入口１３を並設して穿設し、さらに二次室１０と連通する第１出口１４及び第２出口１５を並設して穿設し、この隔壁１１により形成された貫通孔１６に円筒状の装填部材１７を嵌挿している。
【０００９】
前記装填部材１７は略中央の仕切板１８により図面中左右両側に第１通路１９と第２通路２０に分割し、該第２通路２０の内周面に形成した雌ねじ部２１には保持ケース２６の雄ねじ部２７を螺着させることができ、該雄ねじ部２７の内側には芳香剤，浴用剤等の固型の錠剤２８を組み付けている。
【００１０】
また、装填部材１７の周面には第１出口１４を開閉可能な第１弁体２２、第２入口１３を開閉可能な第２弁体２３及び第２出口１５を開閉可能な第３弁体２４を形成し、図２に示すように第１弁体２２が第１出口１４を閉塞している場合は、一次室９を通過した湯水は第２通路２０で錠剤２８を溶解して混合しながら二次室１０を介して散水板３の散水孔４から外部へ吐出され、図１に示すようにつまみ２５の回転方向への操作で第２弁体２３が第２入口１３を閉塞し、第３弁体２４が第２出口１５を閉塞している場合は、一次室９を通過した湯水は第１通路１９を経て、錠剤を混合しない通常の湯水を散水板３の散水孔４から外部へ吐出される。
【００１１】
前記隔壁１１の周面には図１に示すように、通常水吐水時のみ第２通水路２０と外部を連通する排水路２９を形成している。この排水路２９は、シャワーヘッドの流路を通常水吐水に切替えた場合に第２通路２０内に残水が存在し、不使用時でも錠剤２８と接触して溶解することで寿命が短縮されることがないように残水を外部へ排水するものであり、図３に示すように隔壁１１の一部には排水を良好に行うため第２通路２０内に外気を導入可能な導入孔３０を形成している。
【００１２】
上記構成において、洗顔や洗髪を溶解した錠剤が混合された湯水で行うには、図２に示すように隔壁１１の第１出口１４を装填部材１７の第１弁体２２により閉塞する。次に水栓金具からホース７に湯水が供給されると、湯水は隔壁１１の第２入口１３から装填部材１７の第２通路２０に流入し、芳香剤，浴用剤等の錠剤２８を溶解して湯水と混合しながら第２出口１５、流路８の二次室１０を経て散水板３の散水孔４から外部へ吐出される。
【００１３】
次に錠剤２８が混合されない湯水で洗顔や洗髪を行うには、図１に示すようにつまみ２５の操作で装填部材１７の第２弁体２３により隔壁１１の第２入口１３を閉塞し、第３弁体２４により第２出口１５を閉塞し、流路８の一次室９と二次室１０を装填部材１７の第１通路１９により連通させると、湯水は錠剤２８を収容した第２通路２０を通過しないで散水板３の散水孔４から吐出される。
【００１４】
なお、この時第２通路２０は一次室９及び二次室１０と流路を遮断されており、第２通路２０で錠剤２８と接触している湯水の残水は、導入孔３０から第２通路２０への外気導入により排水路２９から外部へ速やかに排水される。
【００１５】
【発明の効果】
本発明は請求項１では、本体の流路に嵌挿した装填部材を、仕切板により湯水が通過する第１通路と、芳香剤,浴用剤等の錠剤を収容して通過する湯水に混合する第２通路に分割し、つまみの操作で散水板から吐出される湯水を、第１通路を通過する錠剤を混合しない通常の湯水と第２通路を通過する錠剤を混合した湯水に切替可能にした錠剤付シャワーヘッドにおいて、シャワーヘッドの本体は、第２通路と外部を連通する排水路及び第２通路へ外気を導入する導入孔を形成し、排水路及び導入孔は前記装填部材により開閉自在で、第１通路を通過する通常水吐水時に外部と連通し、第２通路を通過する錠剤を混合した湯水吐水時に外部と遮断されるので、錠剤を収容した第２通路に湯水が通水されていない場合は、第２通路の残水を外部へ排出することで錠剤を残水と接触しないようにし、錠剤の長寿命化を計ることができる。
【００１６】
また請求項２では、前記装填部材は、流路の一次室と第２通路を連通する隔壁の第２入口を開閉する第２弁体と、二次室と第２通路を連通する隔壁の第２出口を開閉する第３弁体を形成し、この両弁体により通常水吐水時は第２通路と一次室及び二次室は流路を閉塞したので、錠剤を収容した第２通路をシャワーヘッドの流路から遮断することで、錠剤の無駄な溶出を防止することができる。
【図面の簡単な説明】
【図１】シャワーヘッドの一部断面図で、錠剤を混合しない通常の湯水吐出時である。
【図２】シャワーヘッドの一部断面図で、錠剤を混合した湯水吐出時である。
【図３】シャワーヘッドの分解説明図である。
【図４】従来技術の説明図である。
【符号の説明】
１          本体
３          散水板
８          流路
９          一次室
１０        二次室
１１        隔壁
１３        第２入口
１５        第２出口
１７        装填部材
１８        仕切板
１９        第１通路
２０        第２通路
２３        第２弁体
２４        第３弁体
２５        つまみ
２８        錠剤
２９        排水路
３０        導入孔
【図１】
0004203970.tif 000002
【図２】
0004203970.tif 000003
【図３】
0004203970.tif 000004
【図４】
0004203970.tif 000005